(57)【特許請求の範囲】
【請求項１】
一対の絶縁フィルムと、両絶縁フィルム間にラミネートされて導電パターンを形成する複数の導電体とを備え、該絶縁フィルムに各導電体の一部をそれぞれ露出させて接合用の導電体露出部分を構成しており、
上記導電体露出部分は、当該導電体露出部分が接続されるべき相手側の導電体と交差した状態で該相手側の導電体とのみ接合されているフレキシブル配線体の接合体において、  上記導電体は、平行な導電パターンを形成する部位を有しているとともに、上記導電体露出部分は、上記平行な導電パターンに対して屈曲していることを特徴とするフレキシブル配線体の接合体。
【発明の詳細な説明】
【０００１】
【発明の属する技術分野】
本発明はフレキシブル配線体の接合体に関し、特に、ＯＡ機器、家電製品、自動車等の内部配線に用いるフレキシブル配線体の接合体に関する。
【０００２】
【従来の技術】
従来例の平面部分略図である図１２を参照して、フレキシブル配線体１は、フレキシブルフラットケーブルやフレキシブルプリント回路を総称した積層体である。
そのようなフレキシブル配線体１の一例として、ベースフィルム２の上に略線状の導電体３を布線することによって、導電体パターンを形成した後、この導電体パターンの上にカバーレイフィルム４を貼り合わせて形成された積層体においては、フレキシブル配線体（図示の例ではフラットケーブル）１の一部から導電パターンを構成する複数の導電体３の一部をそれぞれ露出させ、露出された各導電体３を、それに対応する相手側の導電体３に平行に沿わせて、異方性導電膜やはんだ等によって接合し、接合体７を構成することが行なわれている。図示の例では、両導電体３、３をはんだ付けによって接合する構成を採用しているので、両導電体を露出させるための開口５を絶縁フィルム（ベースフィルム２、カバーレイフィルム４）の双方に設けている。
【０００３】
【発明が解決しようとする課題】
上述のようにフレキシブル配線体１を接合する場合、個々のフレキシブル配線体１に形成された導電体３が接合されるべき相手側の導電体３と精緻に位置決めされ、他の導電体との短絡が生じたり、接続不良が生じたりしないようにする必要がある。
【０００４】
しかしながら、フレキシブル配線体１の素材が寸法精度の出しにくい絶縁フィルム（ベースフィルム２やカバーレイフィルム４）を採用していることや、近年大型の回路を構成するために、複数枚に分割されたフレキシブル配線体１を継ぎ接ぎすることが要請されている等の理由により、フレキシブル配線体１の各導電体３と相手側の導電体３とのピッチを精緻に合わせることがしばしば困難であった。
【０００５】
そのため、従来例の課題を示す平面部分略図である図１３に示すように、フレキシブル配線体１同士の接続時において、両フレキシブル配線体１、１が位置ずれしてしまった場合、導電体露出部分３Ａ、３Ａも位置ずれし、導通不良を来すという問題があった。
また、従来例の課題の別の態様を示す平面部分略図である図１４に示すように、導電体３の一部が僅かでもピッチ不良（Ｐ１＞Ｐ２）を来してしまっている場合、相手側の導電体と接続できなくなる等の不具合もあった。
【０００６】
さらに、従来例の課題の別の態様を示す平面部分拡大略図である図１５に示すように、導電体３の接合方法としてはんだ付けや接着剤等を採用した場合、平面上は良好に接合されているかのように見える場合でも、接続不良が生じていることがあった。
すなわち、図１５のＡ−Ａ断面図である図１６（Ａ）に示すように、例えばはんだ６による接合が良好である場合には、はんだ６は上側の導電体３と下側の導電体３との間に回っているが、しばしば図１６（Ｂ）に示すように、はんだ６が上側の導電体３だけに付着した状態になってしまい、接触不良が生じたままの状態になってしまうことがあったのである。
【０００７】
本発明は上記不具合に鑑みてなされたものであり、絶縁フィルムから露出する導電体を相手側の導電体に対して高精度に接合でき、もって、信頼性の高い接合構造と良好な仕上がりを得ることのできるフレキシブル配線体の接合体を提供することを課題としている。
【０００８】
【課題を解決するための手段】
上記課題を解決するために本発明は、一対の絶縁フィルムと、両絶縁フィルム間にラミネートされて導電パターンを形成する複数の導電体とを備え、該絶縁フィルムに各導電体の一部をそれぞれ露出させて接合用の導電体露出部分を構成しており、上記導電体露出部分は、当該導電体露出部分が接続されるべき相手側の導電体と交差した状態で該相手側の導電体とのみ接合されているフレキシブル配線体の接合体において、上記導電体は、平行な導電パターンを形成する部位を有しているとともに、上記導電体露出部分は、上記平行な導電パターンに対して屈曲していることを特徴とするフレキシブル配線体の接合体である。
【０００９】
この特定事項を含む発明では、接合用の導電体露出部分が形成されているフレキシブル配線体の導電体露出部分を相手方の導電体と電気的且つ機械的に接合するに当たり、各導電体露出部分が、それぞれ対応する相手側の導電体と交差して接合されることになる。この結果、各導電体露出部分とこれら導電体露出部分に接合される相手側の導電体とのピッチずれが、互いに交差する接合状態によって吸収されることになる。ここで、相手側の導電体は、フレキシブル配線体の導電体であってもよく、それ以外の配線基板に形成されているものであってもよい。
【００１０】
また、「導電体露出部分を相手側の導電体とのみ接合」する態様としては、上記導電体露出部分を当該導電体の幅寸法よりも長い対向間隔を隔てて整列すればよく、幅寸法よりも狭い対向間隔で配置されているものについては、導電体露出部分を構成する部位のみを幅方向に拡開した構成を採用すればよい。
さらに、上記導電体は、平行な導電パターンを形成する部位を有しているとともに、上記導電体露出部分は、上記平行な導電パターンに対して屈曲しているので、フレキシブル配線体を一直線上に沿って複数枚接合する場合においても、接合部分を確実に交差させて導通させることが可能になる。
【００１２】
【発明の実施の形態】
以下、添付図面を参照しながら、本発明の好ましい実施の形態について詳述する。
図１は本発明の実施の一形態を示す平面部分略図であり、（Ａ）はフレキシブル配線体としてのフラットケーブル１０、１１の接合前の状態、（Ｂ）は両フラットケーブルが接合されて接合体２０を構成している状態を示している。また、図２および図３は、図１（Ｂ）に示す接合体２０の作用を示す平面部分略図であり、図４は図１（Ｂ）の要部を拡大して示す部分拡大略図である。
【００１３】
図１（Ａ）（Ｂ）を参照して、図示の実施の形態では、ピース状に形成された二つのフラットケーブル１０、１１を接合することにより、接合体２０を構成する例を示している。各フラットケーブル１０、１１は、何れも樹脂製のベースフィルム２の上に所定の導電パターンを形成する複数条の導電体３を布線し、同じく樹脂製のカバーレイフィルム４で覆うことにより、一体的な積層体を構成している。各フラットケーブル１０、１１に開口５を設けるに当たり、従来のフラットケーブル１のように、両絶縁フィルム（ベースフィルム２およびカバーレイフィルム４）の双方に開口５を設けたものを対にして接合してもよく、一方のフラットケーブル１０についてはベースフィルム２とカバーレイフィルム４の双方に、他方のフラットケーブル１１については、片方のフィルム（図示の例ではカバーレイフィルム４）に、それぞれ一端縁近傍部分に開口５を設けてもよい。
【００１４】
何れの場合も、各フラットケーブル１０、１１の開口５によって各導電体３、３は、その一部をそれぞれ露出させて接合用の導電体露出部分３Ａを互いに平行に構成している。
ここで、図示の実施の形態では、開口５によって開放されている導電体露出部分３Ａが、導電体３の被覆部位３Ｂに対して同一方向に屈曲することにより、図１（Ａ）に示すように、一方のフラットケーブル１０の導電体露出部分３Ａと他方のフラットケーブル１１の導電体露出部分３Ａとが、互いに対称形になっている。
【００１５】
この状態で図１（Ｂ）に示すように、フラットケーブル１０を上側にしてその開口５を下側のフラットケーブル１１の開口５に対して上下に対向させて重ね合わせ、はんだ付けによって個々の導電体露出部分３Ａを対応する相手側の導電体露出部分３Ａと接合し、接合体２０を構成している。その後、接合体２０の開口５は図示しない絶縁シートによって閉塞される。
【００１６】
上述した構成では、両フラットケーブル１０、１１の接合時に導電体露出部分３Ａが、それと接続されるべき導電体露出部分３Ａと交差した状態で接合されるので、図２に示すように、フラットケーブル１０、１１自体に位置ずれが生じていたり、図３に示すように、各フラットケーブル１０、１１の各導電体露出部分３Ａ、３Ａ・・・にピッチずれ（Ｐ１＞Ｐ２）が生じていたとしても、その位置ずれやピッチずれが各導電体露出部分３Ａ、３Ａ・・・の交差状態によって吸収される結果、確実な接合状態を得ることが可能になる。
【００１７】
また、図４に示すように、はんだ付けの際、はんだ６が一方の導電体露出部分３Ａのエッジに沿って他方の導電体露出部分３Ａの上面に回るので、はんだ付け状態が至って良好になり、はんだ６の接合状態を確実に目視することが可能になる。
このように、本発明に係る実施の形態では、信頼性の高い接合構造と良好な仕上がりを得ることができるという顕著な効果を奏する。
【００１８】
図５以下は、本発明の別の実施の形態をそれぞれ示している。
先ず、図５は、本発明の別の態様を示す平面部分略図であり、（Ａ）はプリント基板４０と図１のフラットケーブル１０との接合前の状態、（Ｂ）は両者が接合されて接合体２１を構成している状態を示している。
図５（Ａ）（Ｂ）に示すように、接合体２１の構成要素としては、図１、図１１で例示したようなフラットケーブル１０〜１２の他、図１のフラットケーブル１０に接続可能なプリント基板４０であってもよい。
【００１９】
この場合においても、フラットケーブル１０の導電体露出部分３Ａをプリント基板４０に形成された導電体４１に対して交差させることにより、図１の実施の形態と同様の作用効果を奏する。
図６は、本発明のさらに別の態様を示す平面部分略図であり、（Ａ）はフラットケーブル１３とプリント基板４０の接合前の状態、（Ｂ）は両者が接合されて結合体２２を構成している状態を示している。
【００２０】
図６（Ａ）（Ｂ）に示すように、導電体露出部分３Ａと相手側の導電体４１とを交差させて接続させる態様としては、少なくとも一方の導電体（図示の例ではプリント基板４０に形成された導電体４１）が斜めに屈曲して延びていればよく、その接続の態様によっては、被覆部位３Ｂと直線状に沿って延びる導電体露出部分３Ａを構成する従来のフラットケーブル１を採用して、接合体２２を構成することが可能である。
【００２１】
図７は、本発明のさらに別の態様を示す平面部分略図であり、（Ａ）はフラットケーブル１１、１４の接合前の状態、（Ｂ）は両者が接合されて結合体２３を構成している状態を示している。
図７（Ａ）（Ｂ）に示すように、導電体露出部分３Ａを形成するに当たり、終端に形成された導電体露出部分３Ａとは別の部位を開放する開口５を、フラットケーブル１４の途中部分に設けてもよい。図示の例において、開口５は導電体３と斜めに交差しており、この開口５を介して図１のフラットケーブル１１と接合されて接合体２３を構成している。
【００２２】
図８は、本発明を採用可能な別のフラットケーブル１５を示す平面部分略図である。また、図９は、本発明のさらに別の態様を示す平面部分略図であり、（Ａ）はフラットケーブル１６の加工前の状態、（Ｂ）はフラットケーブル１６の加工後の状態を示している。
これらの図を参照して、本発明を採用可能なフラットケーブル１５としては、導電体３の一部を両絶縁フィルム２、４から突出させることにより、導電体露出部分３Ａを構成したものであってもよい。
【００２３】
この場合には、図８に示すフラットケーブル１５のように、布線等によって導電体露出部分３Ａを屈曲させているものであってもよく、図９（Ａ）から図９（Ｂ）の状態に示すように、導電体露出部分３Ａを形成した後、屈曲加工を施して屈曲させ、図８のフラットケーブル１５と同様な形状に仕上げてもよい。
図１０は、本発明のさらに別の態様を示す平面部分略図であり、（Ａ）はフラットケーブル１７、１７の接合前の状態、（Ｂ）は両者が接合されて接合体２４を構成した状態を示している。
【００２４】
図１０（Ａ）（Ｂ）に示すように、導電体露出部分３Ａを接合させる際に超音波溶接や熱溶融接着剤、或いは異方性導電膜等を採用する場合には、フラットケーブル１７の端部の絶縁フィルム２、４のうち、一方のみを除去して導電体露出部分３Ａを構成し、同一仕様のフラットケーブル１７を対にして接合させ、接合体２４を構成してもよい。
【００２５】
図１１は、本発明を適用可能なさらに別のフラットケーブル１８の平面部分略図である。
上述した図１ないし図１０の実施の各形態では、布線された導電体３同士の隙間よりも、導電体３自身の幅が狭いものにおいて特に有効であった。従って、図１２に示すように、導電体３自身の幅の方が導電体３、３同士の間隔（図１１の幅ｂ）よりも、広いフラットケーブル１８については、図１１に示すように、導電体露出部分３Ａが形成される終端側の幅ａを導電体３の幅Ｗよりも広く設定した仕様にすればよい。
【００２６】
このように、上述した実施の形態は本発明の好ましい具体例を例示したものに過ぎず、本発明は上述した実施の形態に限定されない。本発明の特許請求の範囲内で種々の設計変更が可能であることはいうまでもない。
【００２７】
【発明の効果】
以上説明したように、本発明によれば、接合用の導電体露出部分が形成されているフレキシブル配線体を相手方の導電体と電気的且つ機械的に接合するに当たり、各導電体露出部分とこれら導電体露出部分に接合される相手側の導電体とのピッチずれが、互いに交差する接合状態によって吸収されることになる結果、信頼性の高い接合構造と良好な仕上がりを得ることができるという顕著な効果を奏する。
【図面の簡単な説明】
【図１】本発明の実施の一形態を示す平面部分略図であり、（Ａ）はフレキシブル配線体としてのフラットケーブルの接合前の状態、（Ｂ）は両フラットケーブルが接合されて接合体を構成している状態を示している。
【図２】図１（Ｂ）に示す接合体の作用を示す平面部分略図である。
【図３】図１（Ｂ）に示す接合体の作用を示す平面部分略図である。
【図４】図１（Ｂ）の要部を拡大して示す部分拡大略図である。
【図５】本発明の別の態様を示す平面部分略図であり、（Ａ）はプリント基板と図１のフラットケーブルとの接合前の状態、（Ｂ）は両者が接合されて接合体を構成している状態を示している。
【図６】本発明のさらに別の態様を示す平面部分略図であり、（Ａ）はフラットケーブルとプリント基板の接合前の状態、（Ｂ）は両者が接合されて接合体を構成している状態を示している。
【図７】本発明のさらに別の態様を示す平面部分略図であり、（Ａ）はフラットケーブルの接合前の状態、（Ｂ）は両者が接合されて接合体を構成している状態を示している。
【図８】本発明を採用可能な別のフラットケーブルを示す平面部分略図である。
【図９】本発明のさらに別の態様を示す平面部分略図であり、（Ａ）はフラットケーブルの接合前の状態、（Ｂ）は両者が接合されて接合体を構成している状態を示している。
【図１０】本発明のさらに別の態様を示す平面部分略図であり、（Ａ）はフラットケーブルの接合前の状態、（Ｂ）は両者が接合されて接合体を構成している状態を示している。
【図１１】本発明を適用可能なさらに別のフラットケーブルの平面部分略図である。
【図１２】従来例の平面部分略図である。
【図１３】従来例の課題を示す平面部分略図である。
【図１４】従来例の課題の別の態様を示す平面部分略図である。
【図１５】従来例の課題の別の態様を示す平面部分拡大略図である。
【図１６】図１５のＡ−Ａ断面図であって、（Ａ）が良品、（Ｂ）が不良品をそれぞれ示している。
【符号の説明】
２    ベースフィルム（絶縁フィルム）
３    導電体
３Ａ  導電体露出部分
４    カバーレイフィルム（絶縁フィルム）
５    開口
１０〜１８    フラットケーブル（フレキシブル配線体）
２０〜２４    接合体
【図１】
0003799783.tif 000002
【図２】
0003799783.tif 000003
【図３】
0003799783.tif 000004
【図４】
0003799783.tif 000005
【図５】
0003799783.tif 000006
【図６】
0003799783.tif 000007
【図７】
0003799783.tif 000008
【図８】
0003799783.tif 000009
【図９】
0003799783.tif 000010
【図１０】
0003799783.tif 000011
【図１１】
0003799783.tif 000012
【図１２】
0003799783.tif 000013
【図１３】
0003799783.tif 000014
【図１４】
0003799783.tif 000015
【図１５】
0003799783.tif 000016
【図１６】
0003799783.tif 000017